(57)【要約】【課題】顧客の視認性を高める入出金明細の表示および同明細のスケジュール表示を可能にするインターネットバンキングのアプリケーションを提供する。【解決手段】金融機関の口座における取引明細データを表示する情報処理方法は、指定された口座の取引明細情報を取得することと、取得した前記取引明細情報を１件ずつ読み出し、読み出した前記取引明細情報が入金明細情報であるのか、あるいは出金明細情報であるのかを識別することと、入金明細情報に基づいて第１の明細画像を生成し、出金明細情報に基づいて第２の明細画像を生成することと、第１の明細画像を画面における第１の端から画面中央部に向けて移動させながら表示することと、第２の明細画像を画面における第２の端から前記画面中央部に向けて移動させながら表示することを備える。【選択図】図１５
2017182583.tif 000002
【特許請求の範囲】
【請求項１】
金融機関の口座における取引明細データを表示する情報処理方法であって、
指定された口座の取引明細情報を取得することと、
取得した前記取引明細情報を１件ずつ読み出し、読み出した前記取引明細情報が入金明細情報であるのか、あるいは出金明細情報であるのかを識別することと、
前記入金明細情報に基づいて第１の明細画像を生成し、前記出金明細情報に基づいて第２の明細画像を生成することと、
前記第１の明細画像を画面における第１の端から画面中央部に向けて移動させながら表示することと、
前記第２の明細画像を画面における第２の端から前記画面中央部に向けて移動させながら表示することと
を備える方法。
【請求項２】
前記識別することは、読み出した前記取引明細情報が存在する場合に、読み出した前記取引明細情報が入金明細情報であるのか、あるいは出金明細情報であるのかを識別することを含む、請求項１に記載の方法。
【請求項３】
前記第１の明細画像は、入金明細に関連付けられることを示し、前記第２の明細画像は、出金明細に関連付けられることを示す、請求項１に記載の方法。
【請求項４】
前記第１の端および前記第２の端は、向かい合う位置に存在する、請求項１に記載の方法。
【請求項５】
前記画面においてカレンダーを表示することと、
取得した前記取引明細情報のそれぞれの明細情報の日付情報および入出金区分を識別することと、
表示されている前記カレンダーのそれぞれの日に対応する入金明細情報および／または出金明細情報が存在する場合には、前記入金明細情報が存在することを示す第１の表示および／または前記出金明細情報が存在することを示す第２の表示を前記カレンダーの該当する日に表示することと
をさらに備える、請求項１に記載の方法。
【請求項６】
請求項１乃至５のいずれか一項に記載の方法を実行するためのプログラム。
【請求項７】
金融機関の口座における取引明細データを表示する情報処理装置であって、
指定された口座の取引明細情報を取得する取引明細情報取得手段と、
取得した前記取引明細情報を１件ずつ読み出し、読み出した前記取引明細情報が入金明細情報であるのか、あるいは出金明細情報であるのかを識別する識別手段と、
前記入金明細情報に基づいて第１の明細画像を生成し、前記出金明細情報に基づいて第２の明細画像を生成する明細画像生成手段と、
前記第１の明細画像を画面における第１の端から画面中央部に向けて移動させながら表示する第１のスライドイン手段と、
前記第２の明細画像を画面における第２の端から前記画面中央部に向けて移動させながら表示する第２のスライドイン手段と
を備えた情報処理装置。
【請求項８】
金融機関の口座における取引明細データを表示する情報処理装置によって実行されると、前記情報処理装置を、
指定された口座の取引明細情報を取得する取引明細情報取得手段と、
取得した前記取引明細情報を１件ずつ読み出し、読み出した前記取引明細情報が入金明細情報であるのか、あるいは出金明細情報であるのかを識別する識別手段と、
前記入金明細情報に基づいて第１の明細画像を生成し、前記出金明細情報に基づいて第２の明細画像を生成する明細画像生成手段と、
前記第１の明細画像を画面における第１の端から画面中央部に向けて移動させながら表示する第１のスライドイン手段と、
前記第２の明細画像を画面における第２の端から前記画面中央部に向けて移動させながら表示する第２のスライドイン手段
として機能させるためのプログラム。
【発明の詳細な説明】
【技術分野】
【０００１】
本発明は、銀行システムにおけるインターネットバンキング（ＩＢ）のシステムに関する。より詳細には、本発明は、インターネットバンキングのアプリケーションにおいて振替元および振替先を選択する情報処理装置、方法およびプログラムに関する。また、本発明は、インターネットバンキングのアプリケーションにおいて口座の取引明細を表示する情報処理装置、方法およびプログラムに関する。
【背景技術】
【０００２】
近年、多くの金融機関は、顧客が各営業店の窓口やＡＴＭまで足を運ばなくても金融機関が提供するサービスを受けられるようにインターネットバンキング（「モバイルバンキング」とも言う）のサービスを提供している。インターネットバンキングには、パーソナルコンピュータ（ＰＣ）、タブレット型端末、携帯電話、スマートフォンなどのネットワーク接続可能なデバイスからアクセスすることができる。顧客は、これらのデバイスを用いて、インターネットバンキングによって提供される各種サービス（例えば、残高や入出金明細の照会、振込や振替、定期預金や積立の申込など）を利用することができる。
【０００３】
残高や入出金明細の照会機能では、１または複数の顧客口座のそれぞれの残高を示すことができ、また、選択口座の所定の期間における入金明細および出金明細を示すことができる。振込機能では、同一金融機関の本支店宛ての資金移動、若しくは他の金融機関の普通、貯蓄、当座の各口座宛ての資金移動を行うことができる。振替機能では、同一金融機関に開設されている同一顧客口座（例えば、普通・貯蓄・当座・カードローンの各口座）間の資金移動を行うことができる。例えば、特許文献１には、振替元口座と振替先口座の残高が表示された状態で、振替金額を入力すると振替後の両口座の残高が計算される機能が振替機能の一つとして紹介されている。
【０００４】
インターネットバンキングのアプリケーションは、利用するデバイスの種類に応じて異なる種類のアプリケーションが提供されることがある。例えば、同一金融機関のインターネットバンキングのアプリケーションであっても、ＰＣからアクセスした時に利用できるアプリケーションと、タブレット型端末やスマートフォンからアクセスした時に利用できるアプリケーションとではその機能が異なっていることがある。
【０００５】
ＰＣによるアクセス時には、ポインティングデバイスを使った操作（例えば、クリック、ドラッグ）でアプリケーションを利用することができ、タブレット型端末やスマートフォンによるアクセス時には、タッチパネルに対する指の操作でアプリケーションを利用することができる。タッチパネルに対する指の操作としては、表１に例示されるようなものが知られている。
【０００６】
【表１】
2017182583.tif 000003
【先行技術文献】
【特許文献】
【０００７】
【特許文献１】特開２０１４−１５４０３４号公報
【発明の概要】
【発明が解決しようとする課題】
【０００８】
金融機関は、顧客利便性を高めるためにインターネットバンキングのアプリケーションを絶えず改良し続けている。近年、特に、タブレット型端末やスマートフォンが広く普及し、顧客がタブレット型端末やスマートフォンからインターネットバンキングにアクセスすることが多くなってきたことから、タブレット型端末やスマートフォン経由で利用されるインターネットバンキングのアプリケーションの改良が行われている。
【０００９】
振替の際には、振替元となる口座をリストボックスから選択し、その後、振替先となる口座を別のリストボックスから選択していたが、従来のようなやり方は、顧客口座の一覧性や口座選択の操作性に欠けていた。
【００１０】
ある口座の入出金明細を表示するやり方についても、従来は、表形式の画面が提供されていたが、個々の明細データが入金に該当するのか、あるいは出金に該当するのかが一見して判別しづらいアプリケーションもあった。また、表形式で入出金明細が提供されていたため、上旬や下旬などといった月のどのあたりで発生した明細データなのかを把握することが困難であった。
【００１１】
本発明は、このような課題に鑑みてなされたものであり、振替時の口座一覧性および操作性を大幅に改善するインターネットバンキングのアプリケーションを提供することを目的とする。また、本発明は、顧客の視認性を高める入出金明細の表示および同明細のスケジュール表示を可能にするインターネットバンキングのアプリケーションを提供することを目的とする。
【課題を解決するための手段】
【００１２】
上記の課題を解決するために、本発明の一態様に係る金融機関の口座における取引明細データを表示する情報処理方法は、指定された口座の取引明細情報を取得することと、取得した前記取引明細情報を１件ずつ読み出し、読み出した前記取引明細情報が入金明細情報であるのか、あるいは出金明細情報であるのかを識別することと、前記入金明細情報に基づいて第１の明細画像を生成し、前記出金明細情報に基づいて第２の明細画像を生成することと、前記第１の明細画像を画面における第１の端から画面中央部に向けて移動させながら表示することと、前記第２の明細画像を画面における第２の端から前記画面中央部に向けて移動させながら表示することを備える。
【００１３】
また、本発明の一態様に係る金融機関の口座における取引明細データを表示する情報処理装置は、指定された口座の取引明細情報を取得する取引明細情報取得手段と、取得した前記取引明細情報を１件ずつ読み出し、読み出した前記取引明細情報が入金明細情報であるのか、あるいは出金明細情報であるのかを識別する識別手段と、前記入金明細情報に基づいて第１の明細画像を生成し、前記出金明細情報に基づいて第２の明細画像を生成する明細画像生成手段と、前記第１の明細画像を画面における第１の端から画面中央部に向けて移動させながら表示する第１のスライドイン手段と、前記第２の明細画像を画面における第２の端から前記画面中央部に向けて移動させながら表示する第２のスライドイン手段を備える。
【発明の効果】
【００１４】
本発明によれば、インターネットバンキングのアプリケーションにおいて、振替時の口座一覧性および操作性が大幅に改善されるという効果を得ることができる。本発明によれば、インターネットバンキングのアプリケーションにおいて、顧客の視認性を高める入出金明細の表示および同明細のスケジュール表示が可能になるという効果を得ることができる。
【図面の簡単な説明】
【００１５】
本明細書において開示される実施形態の詳細な理解は、添付図面に関連して例示される以下の説明から得ることができる。
【図１】本発明に係るインターネットバンキングシステムを含むシステム全体の構成図である。
【図２】インターネットバンキングシステムのシステム構成図である。
【図３】顧客マスタのデータ構造の一例を説明する図である。
【図４】取引明細ファイルのデータ構造の一例を説明する図である。
【図５】金融商品明細ファイルのデータ構造の一例を説明する図である。
【図６】ＩＢアプリの画面遷移を説明する図である。
【図７】ＩＢアプリにより提供されるトップ画面を説明する図である。
【図８】資産一覧画面の一例を示す図である。
【図９】ＩＢアプリが提供する例示的な取引明細画面を示す図である。
【図１０】複数の口座アイコンを表示する振替画面を示す図である。
【図１１】ＩＢアプリを使用して振替元／振替先口座を指定する手順を説明する図である。
【図１２】振込画面を例示する図である。
【図１３】本発明に係るＩＢアプリにて使用されるカレンダー画面を示す図である。
【図１４】振替元口座および振替先口座を指定する処理を説明するフロー図である。
【図１５】取引明細画面において取引明細を表示する処理を説明するフロー図である。
【図１６】ＩＢアプリが稼動する顧客端末の機能ブロック図である。
【発明を実施するための形態】
【００１６】
以下、本発明の実施形態について詳細に説明する。本明細書で説明するインターネットバンキングのアプリケーションは、ネイティブアプリ（タブレット型端末やスマートフォンにダウンロードして使用するアプリケーション）を例として説明する。しかしながら、同様の機能を提供することが可能なＷｅｂアプリ（ブラウザを介してインターネット上でアクセスが可能なアプリケーション）にも本発明は適用可能である。
【００１７】
（全体構成）
図１は、本発明に係るインターネットバンキングシステム１００（以下、本明細書では「ＩＢシステム１００」と呼ぶ）を含むシステム全体の構成図である。金融機関１は、相互接続されたＩＢシステム１００および勘定系ホスト１１０を有する。ＩＢシステム１００は、勘定系ホスト１１０と通信することにより各種データを送受信することができる。勘定系ホスト１１０は、金融機関１によって従来から使用されているシステムであって、例えば、預金業務や為替業務を扱うことが可能なシステムである。ＩＢシステム１００は、ネットワーク１３０を介して１または複数の顧客端末１２０と接続可能であり、本明細書で説明するようなアプリケーションを介して各種サービス（例えば、残高や入出金明細の照会、振込や振替、定期預金や積立の申込など）を顧客２に対して提供することができる。ネットワーク１３０は、インターネットなどを含む、相互通信可能な周知のネットワークであればよく、特に限定されることはない。
【００１８】
顧客端末１２０は、ＩＢシステム１００からアプリケーションをダウンロードして利用することができる、タブレット型端末、スマートフォンあるいは有線または無線環境において動作可能な他の任意のタイプのデバイスとすることができる。本明細書では、顧客端末１２０をタブレット型端末および／またはスマートフォンとして説明するが、本発明の一実施形態では、本明細書で説明するアプリケーションを利用することが可能な他のデバイスであっても構わない。図１では説明の便宜上、顧客端末１２０を一つだけ示しているが、ＩＢシステム１００を利用する顧客２の数だけ顧客端末１２０が存在する。
【００１９】
（システム構成）
図２は、ＩＢシステム１００のシステム構成図である。図２に示すように、ＩＢシステム１００は、一般的なコンピュータと同様に、バス２１０などによって相互に接続された制御部２０１、主記憶部２０２、補助記憶部２０３、インターフェース（ＩＦ）部２０４および出力部２０５を備えることができる。また、ＩＢシステム１００は、顧客マスタ２０６、取引明細ファイル２０７、および金融商品明細ファイル２０８を備えることができる。ＩＢシステム１００は、勘定系ホスト１１０と通信を行うことにより、顧客マスタ２０６、取引明細ファイル２０７、および金融商品明細ファイル２０８を勘定系ホスト１１０から受信し、また、ＩＢシステム１００内で更新されたデータを勘定系ホスト１１０に送信することでデータの同期処理を行うことができる。
【００２０】
制御部２０１は、中央処理装置（ＣＰＵ）とも呼ばれ、ＩＢシステム１００内の各構成要素の制御やデータの演算を行い、また、補助記憶部２０３に格納されている各種プログラムを主記憶部２０２に読み出して実行することができる。主記憶部２０２は、メインメモリとも呼ばれ、受信した各種データ、コンピュータ実行可能な命令および当該命令による演算処理後のデータなどを記憶することができる。補助記憶部２０３は、ハードディスク（ＨＤＤ）などに代表される記憶装置であり、データやプログラムを長期的に保存する際に使用される。
【００２１】
図２の実施形態では、制御部２０１、主記憶部２０２および補助記憶部２０３を同一のサーバコンピュータ内に設ける実施形態について説明するが、他の実施形態として、ＩＢシステム１００は、制御部２０１、主記憶部２０２および補助記憶部２０３を複数個使用することにより、複数のサーバコンピュータによる並列分散処理を実現するように構成されることもできる。また、他の実施形態として、ＩＢシステム１００用の複数のサーバを設置し、複数サーバが一つの補助記憶部２０３を共有する実施形態にすることも可能である。
【００２２】
ＩＦ部２０４は、他のシステムや装置との間でデータを送受信する際のインターフェースの役割を果たし、また、システムオペレータから各種コマンドや入力データ（各種マスタ、テーブルなど）を受け付けるインターフェースを提供することができる。出力部２０５は、処理されたデータを表示する表示画面や当該データを印刷するための印刷手段などを提供することができる。
【００２３】
顧客マスタ２０６は、金融機関に口座を開設している顧客の基礎情報を格納する顧客マスタファイルであり、ＣＩＦ（Customer Information file）とも言われるものである。図３は、顧客マスタ２０６のデータ構造の一例を説明する図である。図３に示すように、顧客マスタ２０６は、店番号３０１、取引先番号３０２、口座情報３０３、属性情報３０４および顧客ＩＤ３０５を含むことができるが、これらのデータ項目に限定されることはなく他のデータ項目も含むことが可能である。例えば、顧客マスタ２０６は、届出印鑑の印影、所有するクレジットカードの種類、暗証番号などの情報を含むように構成されてもよい。顧客マスタ２０６は、金融機関１が制御するシステムにおいて、顧客の口座情報の共通データ項目を提供する共通マスタとしても機能することができ、かかる場合には、複数のアプリケーションで利用されることができる。
【００２４】
店番号３０１は、顧客を管理するそれぞれの営業店を識別する番号であり、取引先番号３０２は、当該営業店における顧客を識別する番号である。店番号３０１および取引先番号３０２を合わせてＣＩＦ番号（取引先番号）と呼ぶこともできる。図３の実施形態では、店番号３０１および取引先番号３０２を異なるデータ項目として示したが、両者を合わせて１つのデータ項目として構成することもできる。また、他の実施形態として、取引先番号３０２のみを金融機関内で利用可能な顧客識別番号として利用することも可能であり、かかる場合には、ある取引先番号３０２は、複数の営業店に存在することはなく、その金融機関内で唯一無二の番号として使用される。
【００２５】
口座情報３０３は、顧客口座の情報であり、店番号、科目、口座番号、口座名義などの情報を含むことができる。属性情報３０４は、顧客の氏名、カナ氏名、住所、連絡先などの情報を含むことができる。顧客ＩＤ３０５は、顧客が同一金融機関内の複数の営業店に口座を保有する場合に、それらの口座を結びつける共通番号（例えば、「名寄せ」処理などの際に利用可能な個人識別番号）を示す。このような共通番号は、顧客を識別するための番号として使用されることが可能なため、他の金融機関の顧客マスタにも格納されることが可能である。かかる場合には、当該共通番号に基づいて、複数の金融機関が保有する顧客の情報を関連付けることも可能となる。顧客ＩＤ３０５は、顧客を識別可能であればよく、本発明の一実施形態では、顧客ＩＤ３０５を、英数字、符号および／またはカナ文字などによって構成してもよい。
【００２６】
図２に戻って説明すると、取引明細ファイル２０７は、顧客口座（例えば、普通預金）における取引明細を格納することができる。図４は、取引明細ファイル２０７のデータ構造の一例を説明する図である。取引明細ファイル２０７は、店番号３０１、取引先番号３０２、口座情報３０３、取引日＋連番４０１、入出金区分４０２、取引店４０３、金額４０４、摘要４０５およびメモ４０６を含むことができるが、これらのデータ項目に限定されることはなく口座の種類に応じて他のデータ項目も含むことが可能である。店番号３０１、取引先番号３０２、および口座情報３０３は、図３を参照しながら説明したデータ項目と同一である。
【００２７】
取引日＋連番４０１は、顧客口座において入金や出金などの取引が行われた年月日とシーケンシャルな番号を組み合わせた情報を含む。年月日については、年月日（ＹＹＹＹＭＭＤＤ）だけを用いてもいいし、年月日に加えて時分秒（ＨＨＭＭＳＳ）の情報を用いてもよい。シーケンシャルな番号は同一日に複数回の取引を行う可能性があるため付与される。入出金区分４０２は、入金、出金などの取引区分を示す。取引店４０３は、どの営業店あるいは営業店以外のどのＡＴＭで取引が行われたかを示す。金額４０４は、入出金などの取引の取引金額を示す。摘要４０５は、入出金についての説明、例えば、他行からの振込、給与振込、公共料金の口座振替（口座引き落とし）、などの情報が含まれる。
【００２８】
メモ４０６は、本明細書で説明するアプリケーションを利用して顧客２がそれぞれの入出金明細に付与した情報を格納することができるデータ項目である。本発明の他の実施形態では、メモ４０６のデータを顧客端末１２０内に保持するようにデータファイルを構成することも可能である。かかる場合には、顧客端末１２０は、取引明細ファイル２０７をＩＢシステム１００から受信し、メモ４０６のデータ内容については顧客端末１２０内に保持されているデータを利用することとなる。
【００２９】
図２に戻って説明すると、金融商品明細ファイル２０８は、顧客が購入した金融商品（例えば、円定期預金、外貨定期預金、投資信託など）の明細データを格納することができる。図５は、金融商品明細ファイル２０８のデータ構造の一例を説明する図である。図５に示すように、金融商品明細ファイル２０８は、店番号３０１、取引先番号３０２、口座情報３０３、明細番号５０１、名称５０２、商品内容５０３を含むことができるが、これらのデータ項目に限定されることはなく他のデータ項目も含むことが可能である。店番号３０１、取引先番号３０２、および口座情報３０３は、図３を参照しながら説明したデータ項目と同一である。
【００３０】
明細番号５０１は、顧客２が購入した金融商品（例えば、定期預金（円貨、外貨）、投資信託など）の明細を識別するための番号である。当該番号は、英数字および記号から構成可能である。名称５０２は、顧客２が購入した金融商品の名称（例えば、「スーパー定期預金３ヶ月」「米ドル定期預金１年」など）である。商品内容５０３は、購入された金融商品の詳細を表す。例えば、購入された金融商品が定期預金の場合には、商品内容５０３には、定期預金の作成日、満期日、金額および利率などの情報が格納される。利率の情報については、金融商品購入時に利率テーブル（不図示）に格納されている購入対象の金融商品の利率の情報が設定されてよい。利率テーブルは、金融機関１によって提供される金融商品の適用利率のデータを格納し、勘定系ホスト１１０から提供されることが可能である。
【００３１】
再び、図２に戻って説明すると、顧客端末１２０も、一般的なコンピュータと同様に、バス２１０などによって相互に接続された制御部２０１、主記憶部２０２、補助記憶部２０３、インターフェース（ＩＦ）部２０４および出力部２０５を備えることができる。上述したように、顧客端末１２０にはインターネットバンキングのアプリケーション（本明細書において「ＩＢアプリ」と呼ぶこととする）がダウンロードされている。ＩＢアプリは、補助記憶部２０３に格納されているプログラムであり、実行時には制御部２０１によって主記憶部２０２に読み出されて実行される。ＩＢアプリは、ＩＢシステム１００との通信を介して、インターネットバンキングの各種機能を顧客２に提供することができる。顧客端末１２０は、ＩＢアプリを介して、顧客マスタ２０６、取引明細ファイル２０７および金融商品明細ファイル２０８のデータをＩＢシステム１００から受信して、主記憶部２０２に格納しておき、ＩＢアプリ内で利用することができる。
【００３２】
（アプリケーションの画面遷移）
まず、図６を参照しながら、ＩＢアプリにより提供される画面遷移を説明し、各画面における機能を説明する。顧客２は、顧客端末１２０のディスプレイに表示されているＩＢアプリのアイコンをタップすることにより、ＩＢアプリを起動することができる。ＩＢアプリは、表示画面における顧客２の操作に応じて、ＩＢシステム１００と通信し、データの送受信を行うことができる。
【００３３】
ＩＢアプリが起動されると、ログイン画面６０１が顧客端末１２０に表示される。ログイン画面６０１は、最初に、ＩＢアプリを利用するためのパスワード（アプリＰＷ）の入力を顧客２に対して要求することができる。このパスワードは、第三者が当該ＩＢアプリを無断で使用することを防ぐためのパスワードとして利用可能である。
【００３４】
ログイン画面６０１は、２種類のログイン画面を提供することができ、それぞれの画面において他のログイン画面を表示するように制御する表示切替ボタンを有することができる。一の種類のログイン画面は、金融機関の店番号、口座番号および第一暗証番号を入力することができる画面であってよく、他の種類のログイン画面は、金融機関の顧客番号（ＩＢシステム１００を利用するために金融機関から割り当てられた顧客番号）および第一暗証番号を入力することができる画面であってよい。ＩＢシステム１００は、それぞれの顧客に対して複数の暗証番号を設定することができ、例えば、第一暗証番号から第三暗証番号までの３種類を設定することもできる。第一暗証番号は、顧客２がＩＢシステム１００にログインする際に使用するための暗証番号であってよく、第二および第三暗証番号は、特定の取引または操作を行う際に使用するための暗証番号であってよい。
【００３５】
（トップ画面）
ログイン画面６０１で必要な事項を入力後、ログインボタンがタップ（押下）されると、顧客端末１２０とＩＢシステム１００との間で通信が行われ、認証処理が実行される。ＩＢシステム１００による認証処理が成功裏に行われると、その認証結果が顧客端末１２０に対して通信され、顧客端末１２０は、ＩＢアプリを介して必要なデータをＩＢシステム１００から受信して図７に例示するようなトップ画面６０２を表示する。セキュリティを強化するため、顧客端末１２０は、ＩＢアプリを介して、ログイン画面６０１を表示する前にワンタイムパスワードの入力を要求する画面を表示するようにしてもよい。ワンタイムパスワードは、顧客２に予め配布されているトークンに基づいて決定されうる。本発明の一実施形態では、トップ画面６０２は、終了ボタン７０１、資産状況表示欄７０２、資産詳細参照ボタン７０３、振込画面表示ボタン７０４、振替画面表示ボタン７０５、メッセージ欄７０６、直近明細表示欄７０７、およびグローバルメニュー７０８を含むことができるが、他の実施形態では、別の機能を表示するようにしても構わない。
【００３６】
終了ボタン７０１は、ＩＢアプリからログアウトする際に使用されるボタンである。資産状況表示欄７０２は、顧客の円建ての資産合計を表示することができる。例えば、普通預金のみの場合には預金総額が表示され、投資信託も保有している場合には時価総額が表示されてよい。資産詳細参照ボタン７０３は、資産一覧画面６０３を表示するために使用されるボタンである。振込画面表示ボタン７０４は、振込画面６０７を表示するために使用され、振替画面表示ボタン７０５は、振替画面６０６を表示するために使用される。メッセージ欄７０６は、ＩＢシステム１００から提供されるログイン時の日付情報、イベント情報、顧客に対するメッセージなどを表示することができる。直近明細表示欄７０７は、各顧客の流動性預金口座（普通預金口座や当座預金口座）における予め定められた数の直近の取引データを、例えば、取引明細ファイル２０７から読み出して、表示することができる。例えば、直近明細表示欄７０７は、ある顧客の普通預金口座の直近２ヶ月分の取引明細データのうち新しいデータを３件表示し、かつ同顧客の当座預金口座の直近２ヶ月分の取引明細データのうち新しいデータを３件表示することができる。かかる場合、直近明細表示欄７０７に表示するデータは、それぞれの口座ごとにまとめて表示されるようにソートされてもよいし、あるいは、日付順に表示されるようにソートされてもよい。また、直近明細表示欄７０７に表示されている取引明細データのうち任意の１件が選択されると、図９に例示した取引明細画面６０４に遷移し、選択された取引明細データに関連付けられる口座の取引明細データが各データの入出金区分４０２に応じて動的に取引明細画面６０４に表示されることが可能となる。
【００３７】
グローバルメニュー７０８は、全ての画面に共通して表示されるメニューであり、例えば、トップ画面６０２を表示するためのアイコン、カレンダーを表示するためのアイコン、各種ユーザ設定を行うための画面を表示するためのアイコン、ＩＢアプリが提供するヘルプ画面を表示するためのアイコンなどが表示されてよい。カレンダーを表示するためのアイコンがタップされると、顧客端末１２０は、ＩＢアプリを介してカレンダー画面６０５を表示することができる。
【００３８】
（資産一覧画面）
資産詳細参照ボタン７０３がタップされたことを示す信号が顧客端末１２０からＩＢシステム１００に通信されると、顧客端末１２０は、ＩＢアプリを介してＩＢシステム１００とデータ通信を行い、資産一覧画面６０３を顧客端末１２０に表示する。図８は、資産一覧画面６０３の一例を示す図である。本発明の一実施形態では、資産一覧画面６０３は、顧客の資産状況を示す円グラフ８０１、顧客資産表示欄８０２、口座明細表示アイコン８０３、終了ボタン７０１、グローバルメニュー７０８を備えることができるが、本発明ではこれらのデータ項目やアイコン以外にも他の種類のデータ項目やアイコン類を表示することができる。
【００３９】
顧客端末１２０とＩＢシステム１００との間で通信が行われることにより、顧客端末１２０は、ＩＢアプリを介して、顧客２が保有する各口座のそれぞれの金融資産のデータを取得し、取得したデータに基づいて顧客の資産状況を明示的に示す円グラフ８０１を顧客端末１２０のディスプレイに描画することができる。図８に示した例では、顧客２の金融資産が３種類存在し、例えば、８０１ａが普通預金、８０１ｂが定期預金、８０１ｃが投資信託を示しても良い。本発明の一実施形態では、円グラフ８０１は、金融資産の種類や内容に応じて描画されてもよい。例えば、８０１ａの普通預金が全資産の６割、８０１ｂの定期預金が全資産の３割、８０１ｃの投資信託が全資産の１割を示す場合、各金融資産の比率にしたがって、円グラフ８０１が描画されてよい。
【００４０】
顧客資産表示欄８０２は、顧客２が保有する金融資産について示すことができる。図８の例では、顧客２は普通預金口座をＡ、Ｂ、Ｃ支店に開設している。Ａ支店の普通預金口座の番号は「１２３４５６７」であり、残高は５００万円である。Ｂ支店の普通預金口座の番号は「９８７６５４３」であり、残高は２５０万円である。Ｃ支店の普通預金口座の番号は「１１１２２２２」であり、残高は３０万円である。本発明の一実施形態では、顧客資産表示欄８０２は、普通預金口座の資産に占める口座ごとの割合を視覚的に示すことができる。例えば、顧客２の普通預金口座の合計残高７８０万円のうち、Ａ支店の口座の残高は５００万円なので、顧客資産表示欄８０２のＡ支店の普通預金口座の欄について、その欄全体のうち約６４％のエリアを網がけ表示、あるいは色付き表示にしてもよい。同様に、Ｂ支店およびＣ支店の普通預金口座の欄についてもその割合分が網がけ表示、あるいは色付き表示にされうる。
【００４１】
口座明細表示アイコン８０３（図８の例では「＞」）がタップされると、顧客端末１２０は、ＩＢアプリを介して、タップされた口座に関連する取引明細画面６０４を表示することができる。
【００４２】
図８の例では、普通預金や定期預金が示されているが、本発明に係るＩＢアプリでは、外貨預金や投資信託などの金融商品も取り扱うことが可能であり、取扱い可能な金融商品は、周知のインターネットバンキングのシステムで利用可能なものと同じものとすることができる。
【００４３】
（取引明細画面）
図９は、ＩＢアプリが提供する例示的な取引明細画面６０４を示す図である。本発明の一実施形態では、取引明細画面６０４は、口座残高９０１、切替ボタン９０２、１または複数の入出金明細９０３、終了ボタン７０１、グローバルメニュー７０８を備えることができるが、本発明ではこれらのデータ項目やアイコン以外にも他の種類のデータ項目やアイコン類を表示することができる。
【００４４】
口座残高９０１は、タップされた口座明細表示アイコン８０３に関連付けられた口座の取引明細ファイル２０７から読み出された口座情報および残高金額情報を示す。切替ボタン９０２は、図９に例示する取引明細画面６０４の表示形式を切り替えるためのボタンである。切替ボタン９０２がタップされると、顧客端末１２０は、ＩＢアプリを介して、従来から提供されているような表形式の入出金明細と、図９に例示するような表示形態の入出金明細とを切り替えて表示することができる。本発明の一実施形態では、顧客端末１２０は、顧客２からの入力に基づいて、表示する入出金明細のデータを所定の年月分のデータに限ったり、あるいは、表示する順番を変更したりすることができる。
【００４５】
入出金明細９０３は、取引明細ファイル２０７から読み出された当該口座の入出金明細データを表示することができる。入出金明細９０３が表示されている箇所がスワイプされると、顧客端末１２０は、シーケンシャルに表示されている入出金明細９０３ａ、９０３ｂ、・・・９０３Ｎ（Ｎは読み出された入出金明細のデータ数）を表示するためにＩＢアプリの画面をスクロールすることができる。本発明の一実施形態では、顧客端末１２０は、入出金区分４０２に格納されている値にしたがって入出金明細９０３のそれぞれのデータの表示方法をＩＢアプリ上で制御することができる。例えば、入出金区分４０２に格納されている値が「入金」を示す場合、顧客端末１２０は、取引明細画面６０４の左端から入出金明細９０３を画面中央部に向けて移動させながら表示する（第１のスライドイン）ように制御することができ、一方、入出金区分４０２に格納されている値が「出金」を示す場合、ＩＢアプリは、取引明細画面６０４の右端から入出金明細９０３を画面中央部に向けて移動させながら表示する（第２のスライドイン）ように制御することができる。この例では、入出金明細９０３のそれぞれのデータが入金に該当するのか、出金に該当するのかに応じて画面の左端および右端から表示される実施形態を説明したが、両者が区別可能な表示スタイルである限り、その実施形態に限定されることはない（例えば、上端／下端からの表示、時計回り／反時計回りに回転しながらの表示）。また、顧客２の視認性を高めるため、顧客端末１２０は、ＩＢアプリを介して、入金明細と出金明細の色を変えるように制御することができる。
【００４６】
（取引明細表示処理）
図１５は、取引明細画面６０４において取引明細を表示する処理を説明するフロー図である。Ｓ１５０１にて、顧客端末１２０は、タップされた口座明細表示アイコン８０３に関連付けられた口座情報（本支店、科目、口座番号）に基づいてＩＢアプリを介してＩＢシステム１００内の取引明細ファイル２０７にアクセスし、当該口座情報に関連付けられた取引明細データを取得する。取得した取引明細データは顧客端末１２０のメモリ上に格納され、顧客端末１２０は、取得した取引明細データを１件ずつ、取引日＋連番４０１に基づいて順に読み出す。
【００４７】
Ｓ１５０２にて、顧客端末１２０は、取引明細データを読み出せたかどうか判定する。読み出せなかった場合には、ＩＢシステムから取得した取引明細データが存在しないので、本処理フローは終了する。読み出せた場合には、Ｓ１５０３に処理が進む。
【００４８】
Ｓ１５０３にて、顧客端末１２０は、Ｓ１５０２にて読み出した取引明細データの入出金区分４０２に格納されている値を取得し、その値が「入金」を示すか、あるいは「出金」を示すかを識別する。
【００４９】
Ｓ１５０４にて、顧客端末１２０は、Ｓ１５０３にて取得した値が「入金」を示すか、あるいは「出金」を示すかに従って、取引明細データに基づく明細画像を生成することができる。生成される明細画像は、図９に例示した入出金明細９０３のようなものであってよい。
【００５０】
Ｓ１５０５にて、顧客端末１２０は、「入金」を示す取引明細データに基づく第１の明細画像を取引明細画面６０４の画面左端から画面中央部に向けて移動させながら表示する（第１のスライドイン）ように制御することができる。また、顧客端末１２０は、「出金」を示す取引明細データに基づく第２の明細画像を取引明細画面６０４の右端から画面中央部に向けて移動させながら表示する（第２のスライドイン）ように制御することができる。本発明の他の実施形態では、第１の明細画像および第２の明細画像を表示させ始める方向を画面の左端／右端に限定することなく、異なる方向から表示させ始めるようにしてもよい。
【００５１】
（振替画面）
図７に例示するトップ画面６０２において、振替画面表示ボタン７０５がタップされると、顧客端末１２０は、ＩＢアプリを介して、図１０に例示するような振替画面６０６を表示する。振替画面６０６は、上述したような終了ボタン７０１およびグローバルメニュー７０８の他に、顧客２が金融機関１に有する、振替可能な口座１００１〜１００４を含むことができる。口座１００１〜１００４は、顧客マスタ２０６に基づいて表示される。図１０の例では、口座１００１〜１００４は、それぞれ、Ａ支店の普通預金口座、ローン専用口座、貯蓄預金口座、当座預金口座を示す。
【００５２】
次に、図１１ａ〜図１１ｄを参照しながら、本発明に係るＩＢアプリを使用して振替元／振替先口座を指定する手順を説明する。
【００５３】
まず、顧客２は、振替画面６０６に表示されている口座のうち出金口座（振替元口座）として選択したい口座のアイコンをタップする。タップされると、図１１ａに示されるように、顧客端末１２０は、出金口座を示すマーク「出」を口座１００１のアイコンに付加する。顧客２が再度、口座１００１のアイコンをタップすると出金口座（振替元口座）の指定は解除され、「出」のマークは消去される。
【００５４】
次に、顧客２は、図１１ｂに例示するように、口座１００１のアイコンを入金口座（振替先口座）として選択したい口座のアイコンに向けてスワイプしていく。図１１ｂに示すように、口座１００１のアイコンは元の場所に存在しているが、顧客２の指がある箇所には口座１００１に関連付けられた画像が表示され、選択された出金口座（口座１００１）が視覚的に示される。口座１００１に関連付けられた画像は、口座１００１のアイコンと視覚的に区別するため、半透明としたり、周囲を点線にしたりするなどしてよい。
【００５５】
図１１ｃに例示するように、顧客２の指（顧客端末１２０のディスプレイをスワイプしたままの状態になっている）が入金口座（振替先口座）である口座１００４に対して予め定められた範囲に入った場合、あるいは口座１００４のアイコンと口座１００１に関連付けられた画像とが予め定められた条件を満たす場合には、顧客端末１２０は、口座１００４が入金口座（振替先口座）の候補になったことを示す候補表示を口座１００４のアイコンに付すことができる。候補表示は、口座１００４のアイコンを囲んで表示される、図１１ｃに示すような円形のものであってよい。本発明の他の実施形態では、候補表示は、口座１００４のアイコンの色を任意の色に変更するものであってもよい。すなわち、候補表示は、振替先口座の候補になったことを視覚的に示す表示であることが可能である。
【００５６】
上述の候補表示が表示されている状態で、顧客２が指を顧客端末１２０のディスプレイから離すと、図１１ｄに例示されるように、顧客端末１２０は、入金口座を示すマーク「入」を口座１００４のアイコンに付加する。このようにして、図１１ｄに示すように、口座１００１が出金口座（振替元口座）として選択されるとともに、口座１００４が入金口座（振替先口座）として選択されることになる。
【００５７】
出金口座（振替元口座）および入金口座（振替先口座）の選択が完了すると、所定の時間が経過後、あるいは、画面遷移のためのボタンをタップするなどの所定の操作後、顧客端末１２０は、図１１ｅに例示するような振替金額を入力して振替処理を実行する画面を表示する。図１１ｅは、振替金額入力欄１１０１、決定ボタン１１０２および戻るボタン１１０３を含んでいるが、これらのデータ項目以外にも任意の機能を含むことができる。振替金額入力欄１１０１は、出金口座（振替元口座）および入金口座（振替先口座）の間での振替金額を入力する欄である。決定ボタン１１０２は、振替処理を実行する際に使用するボタンである。決定ボタン１１０２がタップされると、顧客端末１２０からＩＢシステム１００に対して、振替元口座、振替先口座および振替金額のデータが通信され、ＩＢシステム１００において振替処理が実行される。戻るボタン１１０３は、出金口座（振替元口座）および入金口座（振替先口座）の選択を行うための画面に戻る際に使用するボタンであり、戻るボタン１１０３がタップされると図１１ａに例示したような画面が表示される。
【００５８】
上述の実施形態では、出金口座（振替元口座）の選択後、入金口座（振替先口座）を選択するために口座１００１のアイコンを入金口座（振替先口座）として選択したい口座のアイコンに向けてスワイプしていく操作について説明したが、本発明の操作方法としてはこれに限定されない。例えば、出金口座（振替元口座）をタップした後、入金口座（振替先口座）をタップしてもよい。
【００５９】
また、一般的な振替処理と同様に、振替金額と振替元口座の残高が比較され、残高不足と判定される場合には、アラート表示がなされる。さらに、図１１ｅに示す画面において、振替元口座および振替先口座のそれぞれの残高を表示するようにしてもよい。
【００６０】
（振替口座選択処理）
図１４は、振替元口座および振替先口座を指定する処理を説明するフロー図である。Ｓ１４０１にて、顧客端末１２０は、ＩＢアプリを介してＩＢシステム１００内の顧客マスタ２０６にアクセスし、顧客２に関連付けられた振替処理可能な口座の口座情報３０３を取得する。顧客端末１２０は、取得した口座情報３０３に基づいて顧客端末１２０のディスプレイに複数の口座アイコンを表示することができる。図１０は、複数の口座アイコンが表示された状態を例示する。口座アイコンは、口座種別（例えば、普通預金、当座預金など）に応じて形態の異なるものが定められてもよい。
【００６１】
Ｓ１４０２にて、顧客２が振替元口座として選択したい口座アイコンを表示された複数の口座アイコンの中からタップしたことに応答して、顧客端末１２０は、ＩＢアプリを介してタップされた口座アイコンに振替元口座（出金口座）であることを示す第１の表示（上記の例では「出」というマーク）を付加して表示する。
【００６２】
顧客２は、図１１ｂに示したように、第１の表示が付加された口座アイコンを入金口座（振替先口座）として選択したい口座のアイコンに向けてスワイプしていく。顧客端末１２０は、当該スワイプの操作に応答して、図１１ｂに示すように、第１の表示が付加された口座アイコンに関連付けられたアイコン画像を表示することができる。
【００６３】
Ｓ１４０３にて、顧客端末１２０は、第１の表示が付加された口座アイコンに関連付けられたアイコン画像が移動中であるかどうか（すなわち、スワイプしたままであるかどうか）を判定し、かつ顧客２の指が入金口座（振替先口座）として選択したい口座のアイコンに対して予め定められた範囲に入ったかどうかを判定する。顧客２の指が入金口座（振替先口座）として選択したい口座のアイコンに対して予め定められた範囲に入ったかどうかは、顧客端末１２０が、顧客２の指がディスプレイのどの位置（すなわち、ＩＢアプリの画面上のどの位置）を押圧しているかを感知することによって判定されうる。
【００６４】
この２つの判定処理が共に肯定的な判定結果である場合にはＳ１４０４に処理が進み、それ以外の場合には再度Ｓ１４０３の判定処理が行われる。本発明の他の実施形態では、この２つの判定処理のうち、後者の判定処理を、第１の表示が付加された口座アイコンに関連付けられたアイコン画像と入金口座（振替先口座）として選択したい口座のアイコンとが予め定められた条件（両者が所定の閾値を超える程度に重なりあっている、両者の中心点の距離が所定の閾値未満になっている、など）を満たすかどうかに基づいて行うこともできる。
【００６５】
Ｓ１４０４にて、顧客端末１２０は、入金口座（振替先口座）として選択したい口座のアイコンに対して候補表示を付加する。候補表示は、当該口座のアイコンを囲んで表示される、図１１ｃに示すような円形のものであってよい。顧客２が指を顧客端末１２０から離し、スワイプを止めた場合、顧客端末１２０は、図１１ｄに示すように、入金口座（振替先口座）として選択した口座のアイコンに振替先口座（入金口座）であることを示す第２の表示（上記の例では「入」というマーク）を付加して表示する。このような処理により、振替元口座および振替先口座が指定されることになる。
【００６６】
（振込画面）
図７に例示するトップ画面６０２において、振込画面表示ボタン７０４がタップされると、図１２に例示するような振込画面６０７が表示される。振込画面６０７は、振込先選択欄１２０１、振込元選択欄１２０２、次へボタン１２０３および戻るボタン１２０４を含むが、これらの項目に限定されることはなく、他のデータ項目および任意の処理のためのボタンが含まれていてよい。図１２は、振込先を予め登録しておく実施形態を説明するが、本発明に係るＩＢアプリでは、新規に振込先口座を選択する機能も利用可能であり、また、過去の振込実績のデータに基づいて同じ振込先に対して振込を行う機能も利用可能である。先日付の振込も利用可能である。予め登録しておく振込先には、顧客２によって所望のニックネームを付与したり、所望のアイコンと関連付けたりすることもできる。
【００６７】
顧客２は、まず、振込先選択欄１２０１に表示されている登録済み振込先から所望の振込先を選択することができる。登録済み振込先は、ＩＢアプリを介して予めＩＢシステム１００に登録しておくことができる。本発明の他の実施形態では、従来から存在するＩＢシステムと同様に、振込先の金融機関、本支店、科目、口座番号を順次指定していくようにしてもよい。その後、顧客２は、振込元選択欄１２０２から振込元を選択する。振込元選択欄１２０２には、顧客２が金融機関１に保有する口座のうち振込元として使用可能な口座が表示されている。振込先および振込元の選択が完了したら、顧客２は、次へボタン１２０３をタップして、不図示の振込金額入力欄、手数料計算欄および依頼人／振込日変更欄など、従来から存在するような振込画面６０７の機能を使用して振込を行うことができる。
【００６８】
（カレンダー画面）
グローバルメニュー７０８においてカレンダーのアイコンがタップされると、カレンダー画面６０５が表示される。図１３は、本発明に係るＩＢアプリにて使用されるカレンダー画面６０５を示す図である。戻るボタン１３０１は、前に表示されていた画面に戻るためのボタンである。
【００６９】
顧客端末１２０は、ＩＢアプリを介してＩＢシステム１００から取得した取引明細ファイル２０７から取引明細データを読み出し、取引日＋連番４０１に基づいて年月日を特定し、入出金区分４０２に基づいてそれぞれのデータが入金なのか出金なのかを識別する。顧客端末１２０は、カレンダー画面６０５に表示されているカレンダーのそれぞれの日に対応する入金データおよび／または出金データが存在するかを判定し、存在する場合には、入金データが存在することを示す第１の表示（入金表示）および／または出金データが存在することを示す第２の表示（出金表示）をカレンダー画面６０５に表示されているカレンダーの該当する日に表示することができる。
【００７０】
（機能ブロック）
図１６は、ＩＢアプリが稼動する顧客端末１２０の機能ブロック図である。顧客端末１２０は、振替元口座および振替先口座を指定する情報処理を行うために、口座情報取得部１６０１、口座アイコン表示部１６０２、第１の表示付加部１６０３、判定部１６０４、候補表示付加部１６０５および第２の表示付加部１６０６を備えている。
【００７１】
口座情報取得部１６０１は、ＩＢアプリを介してＩＢシステム１００内の顧客マスタ２０６にアクセスし、顧客２に関連付けられた振替処理可能な口座の口座情報３０３を取得することができる。口座アイコン表示部１６０２は、取得した口座情報３０３に基づいて顧客端末１２０のディスプレイに複数の口座アイコンを表示することができる。図１０は、複数の口座アイコンが表示された状態を例示することができる。口座アイコンは、口座種別（例えば、普通預金、当座預金）に応じて形態の異なるものが定められてもよい。
【００７２】
第１の表示付加部１６０３は、顧客２が振替元口座として選択したい口座アイコンを表示された複数の口座アイコンの中からタップしたことに応答して、タップされた口座アイコンに振替元口座（出金口座）であることを示す第１の表示（上記の例では「出」というマーク）を付加して表示することができる。
【００７３】
判定部１６０４は、第１の表示が付加された口座アイコンに関連付けられたアイコン画像が移動中であるかどうか（すなわち、スワイプしたままであるかどうか）を判定し、かつ顧客２の指が入金口座（振替先口座）として選択する口座のアイコンに対して予め定められた範囲に入ったかどうか、または第１の表示が付加された口座アイコンに関連付けられたアイコン画像と入金口座（振替先口座）として選択したい口座のアイコンとが予め定められた条件（両者が所定の閾値を超える程度に重なりあっている、両者の中心点の距離が所定の閾値未満になっている、など）を満たすかどうかを判定することができる。顧客２の指が入金口座（振替先口座）として選択したい口座のアイコンに対して予め定められた範囲に入ったかどうかは、顧客端末１２０が、顧客２の指がディスプレイのどの位置（すなわち、ＩＢアプリの画面上のどの位置）を押圧しているかを感知することによって判定されうる。顧客端末１２０は、当該スワイプの操作に応答して、図１１ｂに示すように、第１の表示が付加された口座アイコンに関連付けられたアイコン画像を表示することができる。
【００７４】
候補表示付加部１６０５は、判定部１６０４による判定が肯定的な判定結果を示す場合に、入金口座（振替先口座）として選択する口座のアイコンに対して候補表示を付加することができる。候補表示は、当該口座のアイコンを囲んで表示される、図１１ｃに示すような円形のものであってよい。
【００７５】
第２の表示付加部１６０６は、顧客２が指を顧客端末１２０から離し、スワイプを止めた場合（移動中ではなくなった場合）に、入金口座（振替先口座）として選択した口座のアイコンに振替先口座（入金口座）であることを示す第２の表示（上記の例では「入」というマーク）を付加して表示することができる。
【００７６】
また、顧客端末１２０は、金融機関の口座における取引明細データを表示する情報処理を行うために、取引明細情報取得部１６０７、識別部１６０８、明細画像生成部１６０９、第１のスライドイン部１６１０、第２のスライドイン部１６１１、カレンダー表示部１６１２、第２の識別手段１６１３および明細有無表示部１６１４を備えている。
【００７７】
取引明細情報取得部１６０７は、タップされた口座明細表示アイコン８０３に関連付けられた口座情報（本支店、科目、口座番号）に基づいてＩＢアプリを介してＩＢシステム１００内の取引明細ファイル２０７にアクセスし、当該口座情報に関連付けられた取引明細データを取得することができる。取得した取引明細データは、顧客端末１２０のメモリ上に格納される。識別部１６０８は、取得した取引明細データを１件ずつ、取引日＋連番４０１に基づいて順に読み出すことができる。識別部１６０８は、読み出した取引明細データの入出金区分４０２に格納されている値を取得し、その値が「入金」を示すか、あるいは「出金」を示すかを識別することができる。
【００７８】
明細画像生成部１６０９は、取得した値が「入金」を示すか、あるいは「出金」を示すかに従って、それぞれの取引明細データに基づく明細画像を生成することができる。生成される明細画像は、図９に例示した入出金明細９０３のようなものであってよい。第１のスライドイン部１６１０は、「入金」を示す取引明細データに基づく第１の明細画像を取引明細画面６０４の画面左端から画面中央部に向けて移動させながら表示する（第１のスライドイン）ように制御することができる。第２のスライドイン部１６１１は、「出金」を示す取引明細データに基づく第２の明細画像を取引明細画面６０４の右端から画面中央部に向けて移動させながら表示する（第２のスライドイン）ように制御することができる。本発明の他の実施形態では、第１の明細画像および第２の明細画像を表示させ始める方向を画面の左端／右端に限定することなく、異なる方向から表示させ始めるようにしてもよい。
【００７９】
カレンダー表示部１６１２は、グローバルメニュー７０８においてカレンダーのアイコンがタップされると、カレンダー画面６０５を表示する。第２の識別部１６１３は、ＩＢシステム１００から取得した取引明細ファイル２０７から取引明細データを読み出し、取引日＋連番４０１に基づいて年月日を特定し、入出金区分４０２に基づいてそれぞれのデータが入金なのか出金なのかを識別することができる。
【００８０】
明細有無表示部１６１４は、カレンダー画面６０５に表示されているカレンダーのそれぞれの日に対応する入金データおよび／または出金データが存在するかを判定し、存在する場合には、入金データが存在することを示す第１の表示（入金表示）および／または出金データが存在することを示す第２の表示（出金表示）をカレンダー画面６０５に表示されているカレンダーの該当する日に表示することができる。
【００８１】
以上、例示的な実施形態を参照しながら本発明の原理を説明したが、本発明の要旨を逸脱することなく、構成および細部において変更する様々な実施形態を実現可能であることを当業者は理解するだろう。すなわち、本発明は、例えば、システム、装置、方法、プログラムもしくは記憶媒体等としての実施態様を採用することが可能である。
【符号の説明】
【００８２】
１  金融機関
２  顧客
１００  インターネットバンキングシステム
１１０  勘定系ホスト
１２０  顧客端末
２０１  制御部
２０２  主記憶部
２０３  補助記憶部
２０４  インターフェース（ＩＦ）部
２０５  出力部
２０６  顧客マスタ
２０７  取引明細ファイル
２０８  金融商品明細ファイル
６０１  ログイン画面
６０２  トップ画面
６０３  資産一覧画面
６０４  取引明細画面
６０５  カレンダー画面
６０６  振替画面
６０７  振込画面
１６０１  口座情報取得部
１６０２  口座アイコン表示部
１６０３  第１の表示付加部
１６０４  判定部
１６０５  候補表示付加部
１６０６  第２の表示付加部
１６０７  取引明細情報取得部
１６０８  識別部
１６０９  明細画像生成部
１６１０  第１のスライドイン部
１６１１  第２のスライドイン部
１６１２  カレンダー表示部
１６１３  第２の識別手段
１６１４  明細有無表示部
【図１】
2017182583.tif 000004
【図２】
2017182583.tif 000005
【図３】
2017182583.tif 000006
【図４】
2017182583.tif 000007
【図５】
2017182583.tif 000008
【図６】
2017182583.tif 000009
【図７】
2017182583.tif 000010
【図８】
2017182583.tif 000011
【図９】
2017182583.tif 000012
【図１０】
2017182583.tif 000013
【図１１】
2017182583.tif 000014
【図１２】
2017182583.tif 000015
【図１３】
2017182583.tif 000016
【図１４】
2017182583.tif 000017
【図１５】
2017182583.tif 000018
【図１６】
2017182583.tif 000019
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
金融機関の口座における取引明細データを表示する情報処理装置によって実行される情報処理方法であって、
指定された口座の取引明細情報を取得することと、
取得した前記取引明細情報を１件ずつ読み出し、読み出した前記取引明細情報が入金明細情報であるのか、あるいは出金明細情報であるのかを識別することと、
前記入金明細情報に基づいて第１の明細画像を生成し、前記出金明細情報に基づいて第２の明細画像を生成することと、
前記第１の明細画像を画面における第１の端から画面中央部に向けて移動させながら表示することと、
前記第２の明細画像を画面における第２の端から前記画面中央部に向けて移動させながら表示することと
を備える方法。
【請求項２】
前記識別することは、読み出した前記取引明細情報が存在する場合に、読み出した前記取引明細情報が入金明細情報であるのか、あるいは出金明細情報であるのかを識別することを含む、請求項１に記載の方法。
【請求項３】
前記第１の明細画像は、入金明細に関連付けられることを示し、前記第２の明細画像は、出金明細に関連付けられることを示す、請求項１に記載の方法。
【請求項４】
前記第１の端および前記第２の端は、向かい合う位置に存在する、請求項１に記載の方法。
【請求項５】
前記画面においてカレンダーを表示することと、
取得した前記取引明細情報のそれぞれの明細情報の日付情報および入出金区分を識別することと、
表示されている前記カレンダーのそれぞれの日に対応する入金明細情報および／または出金明細情報が存在する場合には、前記入金明細情報が存在することを示す第１の表示および／または前記出金明細情報が存在することを示す第２の表示を前記カレンダーの該当する日に表示することと
をさらに備える、請求項１に記載の方法。
【請求項６】
請求項１乃至５のいずれか一項に記載の方法を実行するためのプログラム。
【請求項７】
金融機関の口座における取引明細データを表示する情報処理装置であって、
指定された口座の取引明細情報を取得する取引明細情報取得手段と、
取得した前記取引明細情報を１件ずつ読み出し、読み出した前記取引明細情報が入金明細情報であるのか、あるいは出金明細情報であるのかを識別する識別手段と、
前記入金明細情報に基づいて第１の明細画像を生成し、前記出金明細情報に基づいて第２の明細画像を生成する明細画像生成手段と、
前記第１の明細画像を画面における第１の端から画面中央部に向けて移動させながら表示する第１のスライドイン手段と、
前記第２の明細画像を画面における第２の端から前記画面中央部に向けて移動させながら表示する第２のスライドイン手段と
を備えた情報処理装置。
【請求項８】
金融機関の口座における取引明細データを表示する情報処理装置によって実行されると、前記情報処理装置を、
指定された口座の取引明細情報を取得する取引明細情報取得手段と、
取得した前記取引明細情報を１件ずつ読み出し、読み出した前記取引明細情報が入金明細情報であるのか、あるいは出金明細情報であるのかを識別する識別手段と、
前記入金明細情報に基づいて第１の明細画像を生成し、前記出金明細情報に基づいて第２の明細画像を生成する明細画像生成手段と、
前記第１の明細画像を画面における第１の端から画面中央部に向けて移動させながら表示する第１のスライドイン手段と、
前記第２の明細画像を画面における第２の端から前記画面中央部に向けて移動させながら表示する第２のスライドイン手段
として機能させるためのプログラム。